(57)【要約】【課題】  本発明は構造が簡単で、目地部が狭くなるように、地震で左右の床躯体が揺れ動いても、床用目地プレートの先端部が床面より突出したり、ガタ付いたりすることなく、安全に使用することができる床用目地装置を得るにある。【解決手段】  一方の目地部側床躯体に反目地部側が傾斜面に形成された床用目地プレートスライド支持凹部と、この床用目地プレートスライド支持凹部に先端部が支持され、後端部が他方の目地部側床躯体に、先端部が傾斜面に沿って上方へ回動でき、かつ上面が左右の床躯体の床面と同一面となるように取付けられた床用目地プレートと、この床用目地プレートの先端部に回動可能に取付けられたカバープレートとからなる床用目地装置において、床用目地プレートの先端部を除く底面に、該床用目地プレートの先端部が傾斜面より一方の床躯体の床面方向へスライド移動しても、床用目地プレートの先端部が一方の床躯体の床面に接した状態を保つ凹部を形成して床用目地装置を構成している。【選択図】  図２
2014141858.tif 000002
【特許請求の範囲】
【請求項１】
目地部を介して設けられた左右の床躯体の、一方の目地部側床躯体に反目地部側が傾斜面に形成された床用目地プレートスライド支持凹部と、この床用目地プレートスライド支持凹部に先端部が支持され、後端部が他方の目地部側床躯体に、先端部が前記傾斜面に沿って上方へ回動でき、かつ上面が前記左右の床躯体の床面と同一面となるように取付けられた床用目地プレートと、この床用目地プレートの先端部に回動可能に取付けられたカバープレートとからなる床用目地装置において、前記床用目地プレートの先端部を除く底面に、該床用目地プレートの先端部が傾斜面より一方の床躯体の床面方向へスライド移動しても、床用目地プレートの先端部が一方の床躯体の床面に接した状態を保つ凹部を形成したことを特徴とする床用目地装置。
【請求項２】
床用目地プレートの底面に形成した凹部は、該床用目地プレートの先端部を除く部位から中央部の底面に三角形状あるいは弧状になるように形成されていることを特徴とする請求項１記載の床用目地装置。
【発明の詳細な説明】
【技術分野】
【０００１】
本発明は目地部を介して設けられた左右の床躯体間の目地部を人や車両等の走行が可能に覆うことができる床用目地装置に関する。
【背景技術】
【０００２】
従来、この種の床用目地装置は地震で目地部が狭くなるように揺れ動くと、床用目地プレートの先端部が傾斜面に沿って上方へ回動して傾斜状態となるため、目地部が狭くなると床用目地プレートの後部を上方へ押し上げて、床用目地プレートをほぼ水平に位置させる押し上げ杆や押し上げ片を用いた昇降装置が考えられている。
【０００３】
しかしながら、押し上げ杆を用いた昇降装置は構造が複雑でコスト高になるという欠点があり、押し上げ片を用いた昇降装置は押し上げ片の接地する部位の躯体とによって、床用目地プレートがガタ付き易く、安全に使用できないという欠点があった。
【先行技術文献】
【特許文献】
【０００４】
【特許文献１】特許第３８８０４０８号公報
【特許文献２】特許第３８５４８７３号公報
【発明の概要】
【発明が解決しようとする課題】
【０００５】
本発明は以上のような従来の欠点に鑑み、構造が簡単で、目地部が狭くなるように、地震で左右の床躯体が揺れ動いても、床用目地プレートの先端部が床面より突出したり、ガタ付いたりすることなく、安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の、一方の目地部側床躯体に反目地部側が傾斜面に形成された床用目地プレートスライド支持凹部と、この床用目地プレートスライド支持凹部に先端部が支持され、後端部が他方の目地部側床躯体に、先端部が前記傾斜面に沿って上方へ回動でき、かつ上面が前記左右の床躯体の床面と同一面となるように取付けられた床用目地プレートと、この床用目地プレートの先端部に回動可能に取付けられたカバープレートとからなる床用目地装置において、前記床用目地プレートの先端部を除く底面に、該床用目地プレートの先端部が傾斜面より一方の床躯体の床面方向へスライド移動しても、床用目地プレートの先端部が一方の床躯体の床面に接した状態を保つ凹部を形成して床用目地装置を構成している。
【発明の効果】
【０００８】
以上の説明から明らかなように、本発明にあっては次に列挙する効果が得られる。
（１）請求項１により、地震で目地部が狭くなるように左右の床躯体が揺れ動いても、床用目地プレートの先端部の底面を、該床用目地プレートの底面に形成した凹部によって、確実に一方の床躯体の床面に当接させることができる。
したがって、床用目地プレートの先端部と後端部が、左右の床躯体に接触した状態を保つことができるので、安全に床用目地プレート上を人や車両が走行することができる。
（２）前記（１） により、地震で目地部が狭くなるように左右の床躯体が揺れ動いても、床用目地プレートの後端部の支持状態が従来のように浮き上がらないので、ガタ付いたりするのを効率よく防止でき、安全に使用することができる。
（３）前記（１）により、床用目地プレートの底面に凹部を形成するので、従来の平坦面の底面よりも強度を増加させることができる。
（４）前記（１） によって、床用目地プレートに押し上げ杆や押し上げ片を用いた昇降装置を用いないので、構造が簡単で、輸送も楽に行なうことができる。
（５）請求項２も前記（１）〜（４）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の床用目地プレートの説明図。
【図５】本発明を実施するための第１の形態の係止具の説明図。
【図６】本発明を実施するための第１の形態の地震で目地部が狭くなるように揺れ動いた動作説明図。
【図７】本発明を実施するための第１の形態の地震で目地部が広くなるように揺れ動いた動作説明図。
【図８】本発明を実施するための第２の形態の平面図。
【図９】図８の９−９線に沿う断面図。
【図１０】図８の１０−１０線に沿う断面図。
【図１１】本発明を実施するための第３の形態の平面図。
【図１２】図１１の１２−１２線に沿う断面図。
【図１３】図１１の１３−１３線に沿う断面図。
【発明を実施するための形態】
【００１０】
以下、図面に示す本発明を実施するための形態により、本発明を詳細に説明する。
【００１１】
図１ないし図７に示す本発明を実施するための第１の形態において、１は目地部２を介して設けられた左右の床躯体３、３間の目地部２を、人や車両等の走行が可能に覆う本発明の床用目地装置で、この床用目地装置１は前記左右の床躯体３、３の一方の目地部側床躯体３に反目地部側が傾斜面４に形成された、前記目地部２の幅寸法Ｌと同じ幅寸法、あるいはそれよりも大きな幅寸法に形成された床用目地プレートスライド支持凹部５と、この床用目地プレートスライド支持凹部５と対応する部位の、前記左右の床躯体３、３の他方の目地部側床躯体３に形成された床用目地プレート支持凹部６と、この床用目地プレート支持凹部６に後端部が係止具７、７を介して支持され、先端部が前記床用目地プレートスライド支持凹部５にスライド移動可能に支持された床用目地プレート８とで構成されている。
【００１２】
前記係止具７、７は図５に示すように、前記床用目地プレート８の後端部の両側部に設けられた底面が開口９、９する係止ピン係合ボックス１０、１０と、この係止ピン係合ボックス１０、１０と係合する、前記床用目地プレート支持凹部６に固定された係止ピン１１、１１とで構成されている。
【００１３】
前記床用目地プレート８は図２ないし図４に示すように浅皿状で、前記床用目地プレートスライド支持凹部５の先端部と後端部に支持される支持部１２、１３が端部に位置される山形状の底板１４を溶接固定して形成した三角形状の凹部１５が底面に形成された金属材製の床用目地プレート本体１６と、この床用目地プレート本体１６内に所定間隔となるように複数個の接続部材１７で固定された複数個の補強板１８を用いた補強フレーム１９と、前記床用目地プレート本体１６の後部両側部に底面を開口９、９して設けた、前記係止ピン係合ボックス１０、１０と、前記床用目地プレート本体１６内に前記補強フレーム１９が覆えるように充填されたモルタルやコンクリート２０と、前記床用目地プレート本体１６の先端上部にヒンジ部材２１を介して、先端部が上下方向に回動するように取付けられたカバープレート２２で構成されている。
【００１４】
上記構成の床用目地装置１は、通常状態では左右の床躯体３、３の床面３ａ、３ａと、床用目地プレート８の上面８ａとがほぼ同一面となっているとともに、床用目地プレート８の後端部が他方の床躯体３の床用目地プレート支持凹部６、先端部側が一方の床躯体３の床用目地プレートスライド支持凹部５に支持部１２、１３が支持された状態となっており、安全に車両等が走行することができる。
【００１５】
地震で目地部２が狭くなるように左右の床躯体３、３が揺れ動くと、図６に示すように床用目地プレート８の先端部の支持部１２が床用目地プレートスライド支持凹部５の傾斜面４に沿ってスライド移動し、一方の床躯体３の床面３ａ上へスライド移動するが、凹部１５によって床用目地プレート８の先端部の支持部１２が一方の床躯体３の床面３ａから離れることなく、後端部が床用目地プレート支持凹部６に支持されており、カバープレート２２によってガタ付くことなく、安全に床用目地プレート８上を人や車両等が走行することができる。
【００１６】
地震で目地部２が広くなるように左右の床躯体３、３が揺れ動くと、図７に示すように床用目地プレート８の先端部の支持部１２が床用目地プレートスライド支持凹部５をスライド移動し、その揺れ動きを吸収する。
【００１７】
なお、この床用目地プレート８の移動によって、カバープレート２２と傾斜面４との間に凹部２３が生じるが、この凹部２３は床用目地プレート８の厚さ寸法で、かつ両端部がカバープレート２２と傾斜面４による傾斜になっているため、車両等の走行には問題が生じない。
【００１８】
なお、地震による左右の床躯体３、３の揺れ動きが停止すると、床用目地プレート８は他方の床躯体３の床用目地プレート支持凹部６に係止ピン１１、１１で係止されているため、元の状態へ自動的に戻る。
【００１９】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図８ないし図１０に示す本発明を実施するための第２の形態において、前記本発明を実施するための第１の形態と主に異なる点は、複数個の角パイプ材を補強材２４として、床用目地プレート本体１６の底板１６ａに溶接固定した補強フレーム１９Ａを用いて構成した床用目地プレート８Ａを用いて点で、このような床用目地プレート８Ａを用いて構成した床用目地装置１Ａにしても、前記本発明を実施するための第１の形態と同様な作用効果が得られる。
【００２１】
図１１ないし図１３に示す本発明を実施するための第３の形態において、前記本発明を実施するための第１の形態と主に異なる点は、両端部側が弧状となる凹部１５Ａが形成された床用目地プレート本体１６Ａを用いて床用目地プレート８Ｂを構成した点で、このような床用目地プレート８Ｂを用いた床用目地装置１Ｂにしても前記本発明を実施するための第１の形態と同様な作用効果が得られる。
【産業上の利用可能性】
【００２２】
本発明は目地部を介して設けられた左右の床躯体間を人や車両等の走行が可能に覆う床用目地装置を製造する産業で利用される。
【符号の説明】
【００２３】
１、１Ａ、１Ｂ：床用目地装置、  ２：目地部、
３：床躯体、        ４：傾斜面、
Ｌ：目地部の幅寸法、
５：床用目地プレートスライド支持凹部、  
６：床用目地プレート支持凹部、  ７：係止具、
８、８Ａ、８Ｂ：床用目地プレート、
９：開口、        １０：係止ピン係合ボックス、
１１：係止ピン、      １２、１３：支持部、
１４：底板、        １５、１５Ａ：凹部、
１６．１６Ａ：床用目地プレート本体、
１７：接続部材、      １８：補強板、
１９、１９Ａ：補強フレーム、
２０：モルタルやコンクリート、  ２１：ヒンジ部材、
２２：カバープレート、    ２３：凹部、
２４：補強材。
【図１】
2014141858.tif 000003
【図２】
2014141858.tif 000004
【図３】
2014141858.tif 000005
【図４】
2014141858.tif 000006
【図５】
2014141858.tif 000007
【図６】
2014141858.tif 000008
【図７】
2014141858.tif 000009
【図８】
2014141858.tif 000010
【図９】
2014141858.tif 000011
【図１０】
2014141858.tif 000012
【図１１】
2014141858.tif 000013
【図１２】
2014141858.tif 000014
【図１３】
2014141858.tif 000015